(57)【要約】【課題】  不必要な点灯状態が抑制されるセンサ付き照明制御装置およびセンサ付き照明器具を提供する。【解決手段】  センサ付き照明制御装置１は、発光ダイオード２と、発光ダイオード２を点灯させる点灯装置３と、人体の検出に応じて検知信号を出力する検知装置４と、人体が所定領域内に入場したことを検知装置４が検出したときに発光ダイオード２を所定の低光度で点灯させ、この後の所定期間内に検知装置４が再び人体を検出したときに発光ダイオード２を所定の低光度よりも高い光度で点灯させるように点灯装置３を制御する制御装置５を具備している。【選択図】図１
2013030415.tif 000002
【特許請求の範囲】
【請求項１】
発光ダイオードと；
この発光ダイオードを点灯させる点灯装置と；
人体の検出に応じて検知信号を出力する検知装置と；
人体が所定領域内に入場したことを前記検知装置が検出したときに前記発光ダイオードを所定の低光度で点灯させ、この後の所定期間内に前記検知装置が再び人体を検出したときに前記発光ダイオードを前記低光度よりも高い光度で点灯させるように前記点灯装置を制御する制御装置と；
を具備していることを特徴とするセンサ付き照明制御装置。
【請求項２】
請求項１記載のセンサ付き照明制御装置と；
この照明制御装置を配設している器具本体と；
を具備していることを特徴とするセンサ付き照明器具。
【発明の詳細な説明】
【技術分野】
【０００１】
本発明の実施形態は、人感センサを有するセンサ付き照明制御装置およびこのセンサ付き照明制御装置を備えるセンサ付き照明器具に関する。
【背景技術】
【０００２】
光源としてＬＥＤを用いたＬＥＤ照明器具は、ＬＥＤが省電力であり長寿命であることなどにより、蛍光ランプや白熱ランプなどを光源とする照明器具に替えて急速に普及している。そして、ＬＥＤ照明器具においても、センサの検出による人体の有無や周囲の明るさなどに応じて、ＬＥＤの点灯状態を制御することが行われている。例えば天井に埋設されるダウンライトにおいては、特許文献１に示すように、環状ケースの下面側にセンサ部（受光部）が設けられ、環状ケースの外面側にスイッチが設けられている。
【０００３】
ＬＥＤは、人感センサが人体を検出すると直ちに点灯され、人感センサが人体を検出しなくなると前記スイッチにより設定された所定時間後に消灯される。ここで、ＬＥＤは、応答が速く急速に立ち上がるとともに、輝度が高いので、点灯したときに人に眩しく感じられることがある。このため、ＬＥＤの立ち上がりにおいては、特許文献２に示すように、蛍光ランプや白熱ランプなどの光源と同様に、光束の単位時間あたりの変化量を徐々に増加（フェードイン）させることが一般的に考えられる。
【先行技術文献】
【特許文献】
【０００４】
【特許文献１】特開２００３−１４１９２６号公報（第２頁、第１図）
【特許文献２】特開平９−２８９０８２号公報（第４頁、第２図）
【発明の概要】
【発明が解決しようとする課題】
【０００５】
フェードインによる光源の点灯は、通常、人体が人感センサの検知範囲内に完全に侵入（入場）した時点では定格（１００％）点灯されるので、光束を徐々に増加させる時間（フェード時間）が比較的短時間に設定される。これにより、人によっては、フェードインによる立ち上がりであっても、ＬＥＤの点灯が眩しく感じられるという欠点を有する。
【０００６】
また、人感センサの検知範囲の境界付近で検出した人体が検知範囲内に完全に侵入しなくても、光源は所定時間に亘って点灯されることになり、この点灯が無駄になることがあるという欠点を有する。
【０００７】
本実施形態は、不必要な点灯状態が抑制可能なセンサ付き照明制御装置およびセンサ付き照明器具を提供することを目的とする。
【課題を解決するための手段】
【０００８】
本実施形態のセンサ付き照明制御装置は、発光ダイオード、点灯装置、検知装置および制御装置を有して構成される。
【０００９】
発光ダイオードは、光源となるものであり、点灯装置によって点灯される。
【００１０】
点灯装置は、発光ダイオードを点灯させるように形成される。
【００１１】
検知装置は、所定領域内の人体を検出し、この人体の検出に応じて検知信号を出力するように形成される。
【００１２】
制御装置は、検知装置による人体の検出に応じて点灯装置を制御する。すなわち、制御装置は、人体が所定領域内に入場したことを検知装置が検出したときに発光ダイオードを所定の低光度で点灯させ、この後の所定期間内に検知装置が再び人体を検出したときに発光ダイオードを前記低光度よりも高い光度で点灯させるように形成される。
【発明の効果】
【００１３】
本発明の実施形態によれば、制御装置による点灯装置の制御により、人体が所定領域内に入場したときに、発光ダイオードが所定の低光度で点灯され、この後の所定期間内に検知装置が再び人体を検出したときに発光ダイオードが所定の低光度よりも高い光度で点灯されるので、人体が所定領域内に完全に入場しないときに発光ダイオードを高い光度で点灯させなくすることができて、無駄な電力消費を抑制できることが期待できる。
【図面の簡単な説明】
【００１４】
【図１】本発明の第１の実施形態を示すセンサ付き照明制御装置の概略回路図である。
【図２】同じく、制御装置の出力電圧波形を示し、（ａ）は正弦波交流電圧波形図、（ｂ）は位相制御交流電圧波形図である。
【図３】同じく、発光ダイオードの光束の立ち上がりを示す変化図である。
【図４】同じく、発光ダイオードの別の光束の立ち上がりを示す変化図である。
【図５】本発明の第２の実施形態を示すセンサ付き照明器具であり、（ａ）は概略正面図、（ｂ）は概略下面図である。
【図６】同じく、センサ付き照明器具であり、（ａ）は図６（ｂ）のＡ−Ａ方向の概略側断面図、（ｂ）はＬＥＤランプを取り外した状態の概略下面図である。
【図７】同じく、センサ付き照明器具の概略右側面図である。
【図８】同じく、環状体の概略一部縦断面図である。
【図９】同じく、人感センサの概略模式図である。
【図１０】同じく、ＬＥＤランプを示し、（ａ）は概略正面図、（ｂ）は概略下面図である。
【図１１】本発明の第３の実施形態を示すセンサ付き照明器具の概略斜視図である。
【図１２】同じく、直管形ＬＥＤランプが装着されていないときのセンサ付き照明器具の一部切り欠き概略側面である。
【発明を実施するための形態】
【００１５】
以下、本発明の一実施の形態について、図面を参照して説明する。まず、本発明の第１の実施形態について説明する。
【００１６】
本実施形態は、センサ付き照明制御装置１であり、図１に示すように、発光ダイオード２、点灯装置３、検知装置４および制御装置５を有して構成されている。
【００１７】
発光ダイオード２は、照明光例えば白色光を放射するものであり、複数個が直列接続されたＬＥＤ回路６を形成している。発光ダイオード２は、表面実装型のパッケージ品または基板上にＣＯＢ（Chip  On  Board）方式により実装されたＬＥＤベアチップのいずれであってもよい。
【００１８】
点灯装置３は、発光ダイオード２に電流を供給して発光ダイオード２を点灯させるものであり、外部の交流電源（商用交流電源）Ｖｓを直流電源に変換するＡＣ−ＤＣ変換回路７、このＡＣ−ＤＣ変換回路７から発光ダイオード２に供給する電流を可変する電流調整回路８および発光ダイオード２に所定の電流が供給されるように電流調整回路８を制御する制御回路９を有して形成されている。
【００１９】
そして、点灯装置３は、その入力端子１０ａ，１０ｂが制御装置５を介して商用交流電源Ｖｓに接続され、その出力端子１１ａ，１１ｂがＬＥＤ回路６に接続されている。入力端子１０ａ，１０ｂには、商用交流電源Ｖｓの正弦波交流電圧または当該正弦波交流電圧が位相制御された所定の位相制御交流電圧が入力される。
【００２０】
ＡＣ−ＤＣ変換回路７は、ダイオードブリッジからなる整流器１２、逆流防止用ダイオードＤ１および平滑用コンデンサＣ１を有して形成されている。整流器１２は、その入力間が抵抗Ｒ１を介して点灯装置３の入力端子１０ａ，１０ｂに接続され、制御装置５から出力された交流電圧すなわち正弦波交流電圧または位相制御交流電圧を入力する。そして、整流器１２の出力間は、逆流防止用ダイオードＤ１を介して平滑用コンデンサＣ１に接続されている。ＡＣ−ＤＣ変換回路７は、制御装置５から出力された交流電圧を直流電圧に変換して平滑用コンデンサＣ１の両端間に出力する。
【００２１】
また、整流器１２の出力間には、抵抗Ｒ２および抵抗Ｒ３の直列回路からなる電圧検出回路１３が設けられている。整流器１２の出力電圧（整流電圧）は、電圧検出回路１３により検出されて制御回路９に入力される。
【００２２】
電流調整回路８は、電界効果トランジスタＱ１、ダイオードＤ２、インダクタＬ１およびコンデンサＣ２を有する既知の降圧チョッパ回路に形成されている。そして、コンデンサＣ２の両端が電流検出回路１４を介して点灯装置３の出力端子１１ａ，１１ｂに接続されている。また、電界効果トランジスタＱ１のゲート（制御端子）は、制御回路９に接続されている。
【００２３】
制御回路９は、図示しないマイコンを有してなり、電圧検出回路１３により検出された整流器１２の出力電圧に応じて電界効果トランジスタＱ１をオンオフ制御するように形成されている。これにより、電流調整回路８は、ＡＣ−ＤＣ変換回路７から出力された直流電圧を整流器１２の出力電圧、言い換えれば、整流器１２に入力される交流電圧に応じた直流電圧に変換してコンデンサＣ２の両端間に出力する。
【００２４】
出力端子１１ａ，１１ｂに接続されたＬＥＤ回路６には、整流器１２に入力される交流電圧（入力電圧）に応じた電流が供給される。ここで、制御回路９は、整流器１２の入力電圧が正弦波交流電圧であるときには、発光ダイオード２が定格（１００％）点灯するように電界効果トランジスタＱ１をオンオフ制御し、整流器１２の入力電圧が所定の位相制御交流電圧であるときには、発光ダイオード２が所定の低光度例えば定格点灯の２０％で点灯するように電界効果トランジスタＱ１をオンオフ制御する。
【００２５】
また、制御回路９は、発光ダイオード２に流れる電流が一定となるように、すなわち当該電流が変動しないように、電界効果トランジスタＱ１をオンオフ制御するように形成されている。発光ダイオード２に流れる電流は、電流検出回路１４によって検出される。電流検出回路１４は、例えば抵抗Ｒ４からなり、発光ダイオード２に流れる電流を抵抗Ｒ４の両端間電圧に変換している。制御回路９は、抵抗Ｒ４の両端間電圧を入力し、当該両端間電圧が一定となるように電界効果トランジスタＱ１をオンオフ制御している。
【００２６】
なお、制御回路９、図示しないバッテリを有し、このバッテリがコンデンサＣ１の両端間電圧により常時充電され、動作電源が確保されている。
【００２７】
検出装置４は、人体の存否を検出するものであり、人体を検出したときに検知信号を制御装置５に出力するものである。検知装置４は、人感センサ１５、制御部１６、出力部１７およびスイッチ１８を有して形成されている。
【００２８】
人感センサ１５は、所定領域内の人体を検出するものであり、例えば焦電型赤外線センサからなっている。ここで、所定領域は、人感センサ１５が人体を検出する検知領域を意味する。人感センサ１５は、入射する赤外線が所定量の変化することにより、人体の存在を検出する。そして、人体を検出する毎に、例えばパルス状の検出信号を出力する。
【００２９】
制御部１６は、図示しないマイコンを有してなり、人感センサ１５から出力された検出信号に応じて検知信号を出力部１７から出力するように形成されている。検知信号は、人感センサ１５が人体を検出する毎に出力される。
【００３０】
スイッチ１８は、人感センサ１５が人体を検出しなくなった時点から発光ダイオード２を消灯させるまでの遅延時間を設定するものである。スイッチ１８を例えば１０秒、１分、３分の表示位置に移動させることにより、前記遅延時間が設定可能となっている。制御部１６は、スイッチ１８の位置に応じて遅延時間データ信号を出力部１７から制御装置５に出力する。
【００３１】
制御装置５は、商用交流電源Ｖｓと点灯装置３との間に設けられており、検知装置４から出力された検知信号を入力し、当該検知信号に応じて発光ダイオード２の点灯状態が制御されるように点灯装置３を制御するものである。すなわち、人感センサ１５の人体の検出状態に応じて、点灯装置３の入力端子１０ａ，１０ｂに商用交流電源Ｖｓの正弦波交流電圧を入力させて発光ダイオード２を所定の低光度（例えば２０％）よりも高い光度である定格（１００％）点灯させるか、正弦波交流電圧を位相制御した所定の位相制御交流電圧を入力させて発光ダイオード２を所定の低光度で点灯させるかのいずれかを行うものである。このため、本実施形態では、制御装置５は、入力部１９、主制御部２０、記憶部２１、第１のリレー２２、第２のリレー２３および位相制御器２４を有して形成されている。
【００３２】
第１のリレー２２は、常開接点２２ａ１，２２ａ２および常開接点２２ａ３，２２ａ４を有し、第２のリレー２３は、常開接点２３ａ１，２３ａ２を有している。そして、第１のリレー２２の常開接点２２ａ１および常開接点２２ａ３は、制御装置５の入力端子２５ａ，２５ｂにそれぞれ接続されている。第１のリレー２２の常開接点２２ａ２は、第２のリレー２３の常開接点２３ａ１に接続され、第１のリレー２２の常開接点２２ａ４は、制御装置５の出力端子２６ｂに接続されている。また、第２のリレー２３の常開接点２３ａ２は、制御装置５の出力端子２６ａに接続されている。
【００３３】
そして、第２のリレー２３の常開接点２３ａ１，２３ａ２には、位相制御器２４の入力端子２４ａ，２４ｂがそれぞれ接続されている。そして、制御装置５の入力端子２５ａ，２５ｂは、商用交流電源Ｖｓに接続され、出力端子２６ａ，２６ｂは、点灯装置３の入力端子１０ａ，１０ｂにそれぞれ接続されている。こうして、制御装置５は、商用交流電源Ｖｓと点灯装置３との間に接続されている。
【００３４】
入力部１９は、検知装置４から出力された検知信号や遅延時間データ信号を入力し、主制御部２０に送出するように形成されている。主制御部２０は、図示しないマイコンを有してなり、遅延時間データ信号に付与された遅延時間を記憶部２１に記憶させるように形成されている。記憶部２１は、上書き可能な不揮発性メモリに形成されている。
【００３５】
また、主制御部２０は、検知信号に応じて第１のリレー２２，２３を制御するように形成されている。すなわち、当初の検知信号を入力すると、第１のリレー２２の図示しないリレーコイルを付勢する。ここで、「当初の検知信号」とは、人感センサ１５が人体を検出する所定領域内に人体が始めに入場したときの検出装置４から出力された検知信号を意味する。第１のリレー２２の常開接点２２ａ１，２２ａ２および常開接点２２ａ３，２２ａ４は、それぞれ接続バー２２ｄ１，２２ｄ２によって接続され、商用交流電源Ｖｓの正弦波交流電圧が位相制御器２４に入力される。正弦波交流電圧は、位相制御器２４によって位相制御される。制御装置５の出力端子２６ａ，２６ｂから所定の位相制御交流電圧が出力されて、点灯装置３の入力端子１０ａ，１０ｂに入力される。
【００３６】
そして、主制御部２０は、当初の検知信号を入力した後に、第１の経過時間が経過した後の所定期間（第２の経過時間）内に検知信号を入力すると、第２のリレー２３の図示しないリレーコイルを付勢する。ここで、第１の経過時間は、例えば２秒、所定期間（第２の経過時間）は、例えば記憶部２１に記憶されている遅延時間とすることができる。第１の経過時間は、人体が所定領域内に完全に入場したことを確定させるための設定時間である。
【００３７】
第２のリレー２３のリレーコイルが付勢されると、常開接点２３ａ１，２３ａ２は、接続バー２３ｄ１によって接続され、位相制御器２４の入力端子２４ａ，２４ｂ間が短絡される。制御装置５の出力端子２６ａ，２６ｂ間には、図２（ａ）に示すように、正弦波交流電圧が出力され、点灯装置３の入力端子１０ａ，１０ｂ間に入力される。
【００３８】
そして、主制御部２０は、直近の検知信号の入力から記憶部２１に記憶している遅延時間が経過すると、第１のリレー２２，２３のそれぞれのリレーコイルを消勢する。これにより、第１のリレー２２の常開接点２２ａ１，２２ａ２、常開接点２２ａ３，２２ａ４および第２のリレー２３の常開接点２３ａ１，２３ａ２は、それぞれ開放状態となり、制御装置５の出力端子２６ａ，２６ｂ間には交流電圧が出力されなくなる。
【００３９】
位相制御器２４は、その入力端子２４ａ，２４ｂが商用交流電源Ｖｓおよび点灯装置３の入力端子１０ａにそれぞれ接続されている。そして、位相制御器２４は、その入力端子２４ａ，２４ｂにインダクタＬ２およびコンデンサＣ３からなるノイズフィルター回路２７を介して位相制御素子としてのトライアック２８と、可変抵抗ＶＲ１および抵抗Ｒ５の直列回路とが接続されている。そして、トライアック２８のゲートと、可変抵抗ＶＲ１および抵抗Ｒ５の接続点ａ１との間には、ダイアック２９が接続され、抵抗Ｒ５にコンデンサＣ４が並列接続されている。ノイズフィルター回路２７は、トライアック２８の導通時に発生するノイズを抑制する。また、当該ノイズは、ＡＣ−ＤＣ変換回路７の抵抗Ｒ１および平滑用コンデンサＣ１によっても抑制される。
【００４０】
可変抵抗ＶＲ１は、図示しないつまみに接続されていて、このつまみが回動されることにより抵抗値が可変される。これにより、トライアック２８の導通のタイミングが可変されて、商用交流電源Ｖｓの正弦波交流電圧の導通角が可変される。ここでは、点灯装置３において、発光ダイオード２を所定の低光度（例えば２０％）で点灯することができるように可変抵抗ＶＲ１の抵抗値が設定され、図２（ｂ）に示すように、正弦波交流電圧の導通角を大きくしている。なお、発光ダイオード２の所定の低光度が絶対的なものであるときには、可変抵抗ＶＲ１に固定抵抗を用いてもよい。
【００４１】
上述したように、制御装置５は、その出力端子１０ａ，１０ｂ間に、検知装置４から当初の検知信号を入力したときに所定の位相制御交流電圧を出力させ、この後に検知装置４から第１の経過時間が経過した所定期間（第２の経過時間）内に再び検知信号を入力したときに商用交流電源Ｖｓの正弦波交流電圧を出力させる。そして、点灯装置３は、その入力端子１０ａ，１０ｂ間に所定の位相制御交流電圧が入力されると、発光ダイオード２を所定の低光度（例えば２０％）で点灯させ、この点灯している時に、入力端子１０ａ，１０ｂ間に正弦波交流電圧が入力されると、発光ダイオード２を定格（１００％）点灯させる。このように、制御装置５は、検知装置４からの検知信号に応じて、点灯装置３を制御し、発光ダイオード２の点灯状態を制御するものである。
【００４２】
そして、発光ダイオード２は、応答性が速いので、図３に示すように、消灯から所定の低光度（２０％）まで直に立ち上がって点灯し、所定の低光度（２０％）から定格（１００％）光度まで直に立ち上がって点灯する。発光ダイオード２の点灯により、発光ダイオード２の照射領域（照明領域）が照明される。
【００４３】
そして、人感センサ１５が人体を検出した直近の時点から遅延時間後には、制御装置５の制御により、点灯装置３の入力端子１０ａ，１０ｂ間には商用交流電源Ｖｓからの交流電圧が入力されなくなる。点灯装置３の制御回路９は、電流調整回路８の電界効果トランジスタＱ１のオンオフ動作を停止して、発光ダイオード２に電流を供給させなくし、発光ダイオード２を消灯させる。ここで、入力端子１０ａ，１０ｂ間に交流電圧が入力されなくなった時点では、ＡＣ−ＤＣ変換回路７の平滑用コンデンサＣ１の両端間に直流電源が残っているので、制御回路９は、発光ダイオード２に供給する電流を直に停止するのではなく、当該電流を徐々に減少させるようにしてもよい。これにより、図３に示すように、発光ダイオード２は、定格点灯から徐々に減光して消灯される。すなわち、発光ダイオード２は、フェードアウト点灯される。
【００４４】
また、点灯装置３は、発光ダイオード２を消灯状態から所定の低光度（２０％）に点灯させるときに、発光ダイオード２に供給する電流を徐々に増加させるようにしてもよい。これにより、発光ダイオード２は、図４に示すように、消灯から徐々に増光して所定の低光度（２０％）で点灯される。すなわち、発光ダイオード２は、フェードイン点灯されるようにしてもよい。
【００４５】
次に、本発明の第１の実施形態の作用について説明する。
【００４６】
人体は、人感センサ１５が人体を検出する所定領域（検知領域）の境界付近から所定領域内に入場する。所定領域内に人体が入場すると、人感センサ１５に入射する赤外線の入射量が変化し、人感センサ１５から人体の検出信号が出力される。検知装置４の制御部１６は、当該検出信号に応じて出力部１７から検知信号を出力する。この検知信号は、当初の検知信号となる。
【００４７】
制御装置５の主制御部２０は、当初の検知信号を入力すると、第１のリレー２２を付勢して常開接点２２ａ１，２２ａ２間および常開接点２２ａ３，２２ａ４間をそれぞれ短絡する。制御装置５の入力端子２５ａ，２５ｂは、位相制御器２４を介して出力端子２６ａ，２６ｂに接続される。入力端子２５ａ，２５ｂに入力された商用交流電源Ｖｓの正弦波交流電圧は、移送制御器２４により位相制御され、出力端子２６ａ，２６ｂには、図２（ｂ）に示す所定の位相制御交流電圧が出力される。所定の位相制御交流電圧は、点灯装置３の入力端子１０ａ，１０ａに入力される。
【００４８】
所定の位相制御交流電圧は、点灯装置３のＡＣ−ＤＣ変換回路７により直流電圧（直流電源）に変換される。平滑用コンデンサＣ１の両端間には、所定の位相制御交流電圧に応じた直流電圧が発生する。また、所定の位相制御交流電圧は、電圧検出回路１３により検出されて制御回路９に入力される。
【００４９】
制御回路９は、発光ダイオード２が所定の低光度（２０％）で点灯するように電流調整回路８の電界効果トランジスタＱ１のオンオフ動作を制御する。これにより、平滑用コンデンサＣ２から発光ダイオード２に所定の電流が供給されて、発光ダイオード２は、図３に示すように、消灯から光束が急速に立ち上がって低光度(２０％)で点灯する。こうして、人体が所定領域内に入場した当初は、発光ダイオード２は、所定の低光度（２０％）で点灯される。
【００５０】
そして、所定領域内に入場した人体がさらに所定領域内に移動（侵入）すると、人感センサ１５への赤外線の入射量が変化し、人感センサ１５から検出信号が出力され、検知装置４から再び検知信号が出力される。制御装置５の主制御部２０は、当該検知信号を当初の検知信号が入力された後の第１の経過時間（例えば２秒）ないし所定期間（例えば記憶部２１に記憶された遅延時間）に入力したときには、所定領域内に人体が存在するものとし、第２のリレー２３を付勢して常開接点２３ａ１，２３ａ２間を短絡する。これにより、商用交流電源Ｖｓの正弦波交流電圧が制御装置５の入力端子２５ａ、２５ｂおよび出力端子２６ａ，２６ｂを介して点灯装置３の入力端子１０ａ，１０ｂに入力する。
【００５１】
点灯装置３の平滑用コンデンサＣ１の両端間には、正弦波交流電圧に応じた直流電圧が発生する。また、入力端子１０ａ，１０ｂに入力された正弦波交流電圧は、電圧検出回路１３により検出されて制御回路９に入力される。
【００５２】
制御回路９は、発光ダイオード２が定格（１００％）点灯するように電流調整回路８の電界効果トランジスタＱ１のオンオフ動作を制御する。これにより、平滑用コンデンサＣ２から発光ダイオード２に定格電流が供給されて、発光ダイオード２は、図３に示すように、所定の低光度（２０％）の点灯状態から光束が急速に立ち上がって定格で点灯する。こうして、人体が所定領域内に入場していくと、発光ダイオード２は定格（１００％）点灯される。この定格点灯は、人感センサ１５が人体を検出しなく、検知装置４から検知信号が出力されなくなった時点から記憶部２１に記憶されている遅延時間に亘って継続される。
【００５３】
また、所定領域内に入場した人体が入場時点から第１の経過時間（例えば２秒）内に所定領域外に退場すると、人感センサ１５が入射する赤外線の入射量が変化して、人感センサ１５から検出信号が出力され、検知装置４から検知信号が出力される。しかし、制御装置５の主制御部２０は、当該検知信号を当初の検知信号が入力された後の第１の経過時間（例えば２秒）ないし所定期間（例えば記憶部２１に記憶された遅延時間）に入力しないので、第２のリレー２３を付勢しない。これにより、点灯装置３の入力端子１０ａ，１０ｂには、所定の位相制御交流電圧が継続して入力される。点灯装置３は、発光ダイオード２を所定の低光度（２０％）で点灯し続ける。そして、人体が所定領域外に退場した時点から記憶部２１に記憶されている遅延時間が経過した後に、発光ダイオード２は消灯される。
【００５４】
上述したように、本実施形態のセンサ付き照明制御装置１は、制御装置５によって点灯装置３への入力電圧を正弦波交流電圧または所定の位相制御交流電圧に可変することにより、人体が所定領域内に入場した当初に、発光ダイオード２が所定の低光度（２０％）で点灯され、この後に第１の経過時間（例えば２秒）ないし所定期間（例えば遅延時間）内に人体が所定領域内に入場したときに発光ダイオード２が定格点灯されるので、人体が所定領域内に完全に入場しないときに発光ダイオード２を所定の低光度で継続点灯させて、定格点灯させなくすることができ、これにより、無駄な電力消費を抑制できるという効果を有する。
【００５５】
また、人体が所定領域内に継続して入場したときに、発光ダイオード２は、所定の低光度（２０％）で点灯された後に定格点灯されるので、発光ダイオード２の光束の立上げの制御を簡易して、光束の立上げ時の眩しさを抑制できるという効果を有する。
【００５６】
なお、本実施形態は、制御装置５により点灯装置３の入力電圧を正弦波交流電圧または所定の位相制御交流電圧に制御して、人感センサ１５の人体検出時における発光ダイオード２の光束の立ち上りを制御したが、これに限らず、制御装置５は、当初の検知信号およびその後の検知信号に応じた制御信号を点灯装置３の制御回路９に出力し、点灯装置３は、正弦波交流電圧を入力し、前記制御信号に応じて電流調整回路８の電界効果トランジスタＱ１を制御するように構成されてもよい。
【００５７】
また、点灯装置３および制御装置５は、所定期間内に人体が完全に入場したときに発光ダイオード２を定格点灯させるように形成したが、これに限らず、発光ダイオード２を所定の低光度（例えば２０％）よりも高い光度で点灯させるように形成されていればよいものである。
【００５８】
次に、本発明の第２の実施形態について説明する。
【００５９】
本実施形態は、センサ付き照明器具３１であり、図５ないし図１０に示すように構成される。なお、図１と同一部分および同一部分に相当する部分には同一符号を付して説明は省略する。
【００６０】
図５において、センサ付き照明器具３１は、天井等の造営物に埋め込まれて設置されるダウンライトであり、ＬＥＤランプ３２、器具本体３３、図１に示す検知装置４および制御装置５を有して構成されている。また、センサ付き照明器具３１は、一対の取付けばね３４，３４（図中、一方のみを示す。）を備えており、当該取付けばね３４，３４により造営物に固定されている。
【００６１】
ＬＥＤランプ３２は、フラット形に形成され、器具本体３３内に配設されている。図１０（ａ）に示すように、ＬＥＤランプ３２は、一端側３５ａに透光性の保護カバー３６を取り付け、他端側３５ｂにＧＸ５３形の口金部３７が形成された略円筒状の筐体３５と、この筐体３５内に配設された発光ダイオードとしてのＬＥＤベアチップ３８を有してなる発光体３９およびＬＥＤベアチップ３８を点灯する点灯装置３を備えて形成されている。発光体３９は、基板４０の一面に複数個のＬＥＤベアチップ３８がマトリックス状に実装され、ＬＥＤベアチップ３８を覆って図示しない封止樹脂が設けられている。筐体３５は、例えばポリブチレンテレフタレート（ＰＢＴ）樹脂にて形成され、保護カバー３６は、例えばポリカーボネート（ＰＣ）樹脂にて成型されている。
【００６２】
口金部３７は、筐体３５の上面３５ｃの中央部に突出形成された円筒状の突出部４１およびこの突出部４１に隣接し突出部４１に対して互いに１８０°の回転位置に配設された一対のランプピン４２，４２からなっている。一対のランプピン４２，４２は、例えば黄銅からなり、先端側が径大の略円筒状に形成され、筐体３５内に配線されたリード線により点灯装置３の入力端子１０ａ，１０ｂ（図示しない。）に接続されている。突出部４１の外周面４１ａには、略Ｌ形のキー溝部４３が互いに１８０°の回転位置となるように一対形成されている。このキー溝部４３は、ＬＥＤランプ３２が装着されるソケットに設けられるキー凸部に嵌合し、ソケットを介して筐体３５を器具本体３３に固定するものである。
【００６３】
そして、筐体３５の口金部３７側の外周面３５ｄには、放熱面積を増加させるための三角形状の凹部４４が一定の間隔で形成されている。また、保護カバー３６の外面３６ａは、平面に形成され、その周縁側には直方体状の指掛け部４５，４５が突出形成されている。図１０（ｂ）に示すように、指掛け部４５，４５は、１８０°回転対称に設けられている。また、外面３６ａの周縁側には、器具本体３３への装着位置を表示する三角形のマーク４６が形成されている。
【００６４】
図６において、器具本体３３は、合成樹脂例えばＡＢＳ樹脂にて成型され、一端側３３ａに円形状の開口４７、この開口４７の周縁から開口４７の周回に亘って外方に突出する円形状のフランジ部４８を有する略円錐台状に形成されている。そして、器具本体３３の他端側３３ｂの頂部としての上面３３ｃに、天板４９が図示しないねじにより取り付けられている。
【００６５】
器具本体３３の上面３３ｃの反対側の下面３３ｄには、図６（ａ）に示すように、４本のリブ５０が立設されている。このリブ５０に、図６（ｂ）に示すように、ＬＥＤランプ３２が装着されるソケット５１がねじ５２により取り付けられている。ソケット５１は、合成樹脂例えばＡＢＳ樹脂からなり、その外周側に切り欠き５３，５４を有するリング状に形成されている。ソケット５１は、中央孔５５を有する円筒体５６（図６（ａ）に示す。）が背面側（器具本体３３の下面３３ｄ側）に突出するように設けられ、中央孔５５の周りに互いに１８０°回転対称となるように一対のだるま孔５６，５６が形成されている。
【００６６】
そして、ＬＥＤランプ３２の突出部４１が中央孔５５に挿入され、一対のランプピン４２，４２が一対のだるま孔５６，５６に挿入される。そして、ＬＥＤランプ３２が回動されることにより、一対のランプピン４２，４２がソケット５１の背面側にだるま孔５６に沿うように設けられている図示しない一対の受け金にそれぞれ接続する。
【００６７】
また、ＬＥＤランプ３２のキー溝部４３に円筒体５６に設けられた図示しないキー凸部が嵌合し、ＬＥＤランプ３２がソケット５１に固定される。ソケット５１の一対の受け金は、図示しないリード線により制御装置５に接続されている。すなわち、器具本体３３の外面３３ｅの下面３３ｄ側には、リード線が相通される図示しない挿通口が形成されている。この挿通口からソケット５１に接続されたリード線が導出されて、制御装置５に接続されている。こうして、器具本体３３は、他端側３３ｂの内側にＬＥＤランプ３２を配設している。
【００６８】
そして、図７に示すように、器具本体３３は、その外面３３ｅ側に一対の取付けばね３４，３４が設けられている。器具本体３３は、一対の取付けばね３４，３４と器具本体３３のフランジ部４８とにより造営物としての天井５７を挟持することにより、天井５７に取り付けられる。なお、図５（ｂ）および図６においては、一対の取付けばね３４，３４は省略している。
【００６９】
また、器具本体３３は、図５に示すように、その上面３３ｃに天板４９を図示しないねじにより取り付けている。天板４９は、例えば金属製の平板からなり、略長方形に形成されていて、その一部４９ｃが器具本体３３の側方に突出している。すなわち、天板４９は、器具本体３３の側方に突出する突出部４９ｃを有している。天板４９の長手方向の両端側の一部は、ほぼ直角に折曲されている。
【００７０】
天板４９の突出部４９ｃの下面４９ｂには、図５（ｂ）に示すように、一対の端子台５８，５９が並設されている。すなわち、外部の交流電源としての商用交流電源に接続される入力用端子台５８と、並設されている他のセンサ付き照明器具３１に交流電源を接続する送り用端子台５９とが配設されている。そして、一対の端子台５８，５９間に制御装置５が配設されている。制御装置５は、一対の端子台５８，５９およびソケット５１に接続されており、入力用端子台５８に入力される交流電源が入力される。
検知装置４は、環状体６０に設けられている。この環状体６０は、図６（ａ）に示すように、器具本体３３のフランジ部４８に取り付けられている。
【００７１】
環状体６０は、合成樹脂例えばＡＢＳ樹脂により、器具本体３３のフランジ部４８よりも若干径大であって断面略長方形の環状に形成され、その中央に円形状であって器具本体３３の開口４７とほぼ同径の連通口６１を有している。そして、環状体６０は、ダボ６２に螺着されたねじ６３により、器具本体３３のフランジ部４８に取り付けられている。ダボ６２は、環状体６０内に環状体６０と一体化されて形成され、環状体６０の周回方向に複数個が設けられている。
【００７２】
そして、環状体６０は、図８に示すように、内部に内壁面６０ｃおよび外壁面６０ｄに沿う環状溝６４が周回に亘って形成されている。また、環状体６０の下面６０ｂには、環状溝６４に連通する円形状の開口６５が形成されている。また、外壁面６０ｄの上面６０ａ側には、周回方向に所定長に亘って切り欠きされた切り欠き部６６を有している。そして、環状溝６４に検知装置４が収納されている。
【００７３】
なお、環状体６０は、検知装置４が設けられる部位を除き、中実な構造であってもよい。しかし、環状体６０を可能な限り軽量にするなどの点からして、環状体６０の周回に亘って環状溝６４が形成されているのが好適である。
【００７４】
検知装置４は、図１に示したように、人感センサ１５、制御部１６、出力部１７およびスイッチ１８を有して形成され、人感センサ１５を除く部分がセンサユニット６７に形成されている。
【００７５】
人感センサ１５は、受光部６８およびレンズ付きカバー６９を有して形成されている。受光部６８は、例えば円形状の基板７０に実装されているとともに、基板７０に取り付けられた略砲弾状のレンズ付きカバー６９により覆われている。レンズ付きカバー６９は、高密度ポリエチレンにより形成され、図示しない係止爪により基板７０に取り付けられている。
【００７６】
レンズ付きカバー６９は、その内面側に、図９に示すように、略四角形状のレンズ部６９ａが大小多数形成されている。また、受光部６８は、図示しない複数の小受光部が集合して形成されている。
【００７７】
人感センサ１５は、図８に示すように、そのレンズ付きカバー６９が環状体６０の開口６５から下面６０ｂの外方に突出されて、受光部６８が下方に露出するように環状溝６４内に配設されている。そして、人感センサ１５は、リード線７１によりセンサユニット６７に接続され、人体の検出に応じた検出信号をセンサユニット６７に出力する。
【００７８】
センサユニット６７は、制御部１６および出力部１７を形成するＩＣ部品や電子部品、さらにスイッチ１８が回路基板７２に実装されて形成されている。すなわち、センサユニット６７は、人感センサ１５の人体の検出に応じてＬＥＤランプ３２の点灯状態を制御する検知信号を制御装置５に出力するように、回路基板７２に電気回路が形成されている。また、センサユニット６７は、スイッチ１８に接続されていて、スイッチ１８の選択に応じた制御信号を制御装置５に出力するように形成されている。
【００７９】
センサユニット６７は、リード線７３により制御装置５に接続されている。リード線７３は、図５において、器具本体３３のフランジ部４８の図示しない挿通孔から器具本体３３の外面３３ｅ側に導かれ、当該外面３３ｅ上に沿って配設され、天板４９の突出部４９ｃの下面４９ｂ側に配設されている制御装置５に接続されている。なお、リード線７３は、複数本からなっている。また、リード線７１も複数本からなっている。
【００８０】
スイッチ１８は、図８に示すように、回路基板７２に実装されたスイッチ本体７４と、選択的に手動操作される操作子７５を有して形成されている。回路基板７２は、環状溝６４に沿う長形の形状に形成されて、環状溝６４内に設けられている。スイッチ本体７４は、その操作子７５が環状体６０の切り欠き部６６から外壁面６０ｄに露出するように回路基板７２に実装されている。すなわち、操作子７５は、環状体６０の外壁面６０ｄに設けられていて、環状体６０の外側から操作可能となっている。
【００８１】
スイッチ１８は、人感センサ１５が人体を検出しなくなった時点からＬＥＤランプ３２を消灯させる遅延時間を設定するものである。すなわち、操作子７４を環状体６０の外壁面６０ｄに表示している例えば「１０秒」、「１分」、「３分」の位置（図示しない。）に移動させることにより、人感センサ１５が人体を検出しなくなった時点から制御装置５に設けられているタイマーがカウントを開始し、ＬＥＤランプ３２は、当該設定時間後に消灯される。
【００８２】
こうして、検知装置４は、環状体６０の内部に形成された環状溝６４に収納されて、制御装置５に接続されている。そして、検知装置４は、環状体６０に収納されていることにより、器具本体３３のフランジ部４８に取り付けられている。
【００８３】
そして、人感センサ１５は。図７に示すように、器具本体３３直下の所定領域に入場する人体を検出する。ここでは、所定領域は、ＬＥＤランプ３２の直接光および器具本体３３の反射光で照明される照明領域よりも幾分広く形成されている。
【００８４】
次に、本発明の第２の実施形態の作用について述べる。
【００８５】
人体が所定領域の境界付近に達すると、人感センサ１５が人体を検出し、検知装置４から検知信号が出力される。制御装置５は、当該検知信号に応じてＬＥＤランプ３２が所定の低光度（例えば定格点灯の２０％）で点灯するように点灯装置３を制御する。これにより、器具本体３３の開口４７より所定の低光度の照明光が出射され、照明領域が照明される。
【００８６】
そして、人体が所定領域の内側に入場すると、制御装置５は、検知装置４から再び出力された検知信号に応じて、ＬＥＤランプ３２が定格点灯するように点灯装置３を制御する。これにより、照明領域は、定格点灯の照明光に明るく点灯される。
【００８７】
また、所定領域に達した人体が所定領域内に入場せずに所定領域外に移動すると、検知装置４から人体の検知信号が出力されないので、制御装置５は、ＬＥＤランプ３２が所定の低光度で継続して点灯するように点灯装置３を制御する。
【００８８】
そして、制御装置５は、検知装置４から直近の検知信号を入力した時点からスイッチ１８で設定された遅延時間後にＬＥＤランプ３２が消灯するように点灯装置３を制御する。
【００８９】
本実施形態によれば、フランジ部４８にその下方に人感センサ１５が露出するように検知装置４が配設された埋込形照明器具（ダウンライト）３１において、人感センサ１５が人体を検出する所定領域内に人体が完全に入場しないときには、設定された遅延時間に亘ってＬＥＤランプ３２を所定の低光度で点灯させるので、ＬＥＤランプ３２が定格点灯されるよりも消費電力を削減することができ、無駄な電力消費を抑制できるという効果を有する。
【００９０】
なお、本実施形態において、人感センサ１５は、検出対象である人体を検出できれば、環状体６０の下面６０ｂから突出させるように設けなくてもよく、開口６５に正対するように環状溝６４内に設けられてもよい。また、光源として、ＧＸ５３形のＬＥＤランプ３２で説明したが、これに限らず、ＬＥＤ電球など、発光ダイオード２の照明光を放射するものであればよい。
【００９１】
次に、本発明の第３の実施形態について説明する。
【００９２】
図１１および図１２は、本発明の第３の実施形態を示し、図１１はセンサ付き照明器具の概略斜視図、図１２は管形発光ランプが装着されていないときのセンサ付き照明器具の一部切り欠き概略側面図である。なお、図１と同一部分および同一部分に相当する部分には、同一符号を付して説明は省略する。
【００９３】
図１１において、センサ付き照明器具８１は、天井面に設置されるものであり、器具本体８２、図１に示す照明制御装置１、すなわち直管形ＬＥＤランプ８３、点灯装置３、検知装置４および制御装置５を有して構成されている。器具本体８２は、冷間圧延鋼板等によって形成され、ソケット８４，８５を除いて従来の直管形蛍光ランプが装着される既知の構成を成している。
【００９４】
直管形ＬＥＤランプ８３は、長尺の円筒状であって透光性を有する直管バルブ８６内に発光ダイオード２（図示しない。）が配設され、直管バルブ８６の長手方向両端にそれぞれ口金８７，８８を配設している。発光ダイオード２は、長尺の基板に実装されて直管バルブ８６内に収納されている。
【００９５】
器具本体８２は、その長手方向の両端側８２ａ，８２ｂに２個の直管形ＬＥＤランプ８３が着脱されるソケット８４，８５を一対取り付けている。一方のソケット８４は、直管形ＬＥＤランプ８３の口金８７に設けた一対の給電用接触子（図示しない。）が差し込まれて接続される構造に形成されている。また、他方のソケット８５は、直管形ＬＥＤランプ８３の口金８８に設けた１個の接地用接触子（図示しない。）が差し込まれて接続される構造に形成されている。
【００９６】
そして、図１２に示すように、器具本体８２は、天井面に図示しないねじ等により取り付けられる基台８９と、器具本体８２にねじ９０により固定された反射体９１を備えている。基台８９は、長形の略長方形に形成され、反射体９１は、長形であって長手方向と直交する断面が略五角形である箱状に形成されている。
【００９７】
点灯装置３、検知装置４および制御装置５は、基台８９に取り付けられ、図１に示すように配線されている。また、人感センサ１５は、反射体９１の長手方向略中央部であって短手方向中央部に下方に露出するように、反射体９１に取り付けられている。
【００９８】
点灯装置３は、図示しない一対の出力線が一方のソケット８４に接続され、図示しないアース線が他方のソケット８５に接続されている。こうして、直管形ＬＥＤランプ８３、点灯装置３、検知装置４および制御装置５は、器具本体８２に配設されている。
【００９９】
本実施形態のセンサ付き照明器具８１は、人感センサ１５が人体を検出した後に人体が所定領域内に完全に入場しないときには、設定された遅延時間に亘って直管形ＬＥＤランプ８３を所定の低光度で点灯させるので、人体が所定領域内に入場しないことによる無駄な電力消費を抑制できるという効果を有する。
【０１００】
なお、センサ付き照明器具８１は、天井等に設置される直付け形照明器具で説明したが、これに限らず、吊り下げ形照明器具などであってもよい。
【符号の説明】
【０１０１】
１…センサ付き照明制御装置、  ２…発光ダイオード、  ３…点灯装置、  ４…検知装置、  ５…制御装置、  ３１，８１…センサ付き照明器具、  ３３，８２…器具本体
【図１】
2013030415.tif 000003
【図２】
2013030415.tif 000004
【図３】
2013030415.tif 000005
【図４】
2013030415.tif 000006
【図５】
2013030415.tif 000007
【図６】
2013030415.tif 000008
【図７】
2013030415.tif 000009
【図８】
2013030415.tif 000010
【図９】
2013030415.tif 000011
【図１０】
2013030415.tif 000012
【図１１】
2013030415.tif 000013
【図１２】
2013030415.tif 000014